(57)【要約】      （修正有）【課題】高位置の掃除の危険性を低減する台所清潔装置を提供する。【解決手段】台所清潔装置は、配置板１が伸縮式レバー構成の頂部に固定取付され、配置ロッド２が角度調節構成を介して配置板の上端の表面に取付けられ、配置箱３が配置ロッドの一側に固定取付され、駆動構成が配置箱の内部および配置ロッドの内部に取付けられ、回転盤４の一側と駆動構成の一端とが固定接続され、スポンジ拭き５が回転盤における駆動構成と反対側に固定取付され、異臭処理構成が配置ロッドの上端の表面に取付けられている。高位置の汚れの清潔は、伸縮式取手構成の長さを調節して固定し、台所清潔剤をスポンジ拭きにスプレーして、駆動構成を起動して、スポンジ拭きを回転駆動することで、スポンジ拭きを所定の清理位置に延伸させて清潔作業を行うことができる。はしごを登る必要がなく、危険性を低減する。【選択図】図１
0003233010.tif 000002
【実用新案登録請求の範囲】
【請求項１】
清潔装置の伸縮式レバー構成、配置板（１）、清潔装置の配置ロッド（２）、清潔装置の
配置箱（３）、回転盤（４）、回転盤（４）を回転駆動する駆動構成、清潔作業を実行す
るスポンジ拭き（５）および台所異臭を処理する異臭処理構成を含む台所清潔装置であっ
て、前記配置板（１）は伸縮式レバー構成の頂部に固定取付され、前記配置ロッド（２）
は角度調節構成を介して配置板（１）の上端の表面に取付けられ、前記配置箱（３）は配
置ロッド（２）の一側に固定取付され、前記駆動構成は配置箱（３）の内部および配置ロ
ッド（２）の内部に取付けられ、前記回転盤（４）の一側と駆動構成の一端とが固定接続
され、前記スポンジ拭き（５）は回転盤（４）における駆動構成と反対側に固定取付され
、前記異臭処理構成は配置ロッド（２）の上端の表面に取付けられていることを特徴とす
る前記台所清潔装置。
【請求項２】
前記伸縮式レバー構成は伸縮取手（６）を含み、前記伸縮取手（６）の頂部の伸縮端と配
置板（１）の底部とが固定接続され、かつ前記伸縮取手（６）の伸縮節部にその内部にネ
ジ接続によって貫通する第１締合つまみ（７）が設置されていることを特徴とする請求項
１に記載の台所清潔装置。  
【請求項３】
前記角度調節構成は第１接続板（８）、第２接続板（９）および第２締合つまみ（１０）
を含み、前記第１接続板（８）および第２接続板（９）はいずれも配置板（１）の上端の
表面に固定取付され、前記配置ロッド（２）の正面側はピン軸によって第１接続板（８）
に回動可能に枢接されており、前記第２締合つまみ（１０）の一端は第２接続板（９）に
ネジ接続によって貫通しており、かつ前記第２締合つまみ（１０）は第２接続板（９）の
一端を貫通して配置ロッド（２）の背面側に接触していることを特徴とする請求項１に記
載の台所清潔装置。
【請求項４】
前記駆動構成は、小型のモータ（１１）および回転軸（１２）を含み、前記モータ（１１
）は配置箱（３）の内部の一側に固定取付され、前記回転軸（１２）の一端とモータ（１
１）の出力端とが固定接続され、かつ前記回転軸（１２）におけるモータ（１１）と反対
側の一端は配置箱（３）の一側および配置ロッド（２）の内部を貫通しており、かつ前記
回転軸（１２）は配置ロッド（２）の一端を貫通して配置ロッド（２）における配置箱（
３）と反対側の一端の外部に延出しており、前記回転盤（４）の一側と回転軸（１２）と
が固定接続されていることを特徴とする請求項１に記載の台所清潔装置。
【請求項５】
前記回転軸（１２）は合金材料製としていることを特徴とする請求項４に記載の台所清潔
装置。
【請求項６】
前記回転軸（１２）の配置ロッド（２）の両端で貫通する位置は密閉処理されていること
を特徴とする請求項５に記載の台所清潔装置。
【請求項７】
前記スポンジ拭き（５）は両面海綿テープ（１３）によって回転盤（４）における回転軸
（１２）と反対側に貼合し固定取付されていることを特徴とする請求項１に記載の台所清
潔装置。
【請求項８】
前記スポンジ拭き（５）の直径は回転盤（４）の直径より大きいことを特徴とする請求項
１に記載の台所清潔装置。
【請求項９】
前記異臭処理構成は処理箱（１４）、吹寄せカバー（１５）、濾過ネットプレート（１６
）および活性炭濾過網板（１７）を含み、前記処理箱（１４）はパッド（１８）を介して
配置ロッド（２）の頂部に固定取付され、それぞれ前記処理箱（１４）の一側に入気口が
、その頂部に出気口が貫通的に開設され、前記吹寄せカバー（１５）は処理箱（１４）の
一側の入気口に固定取付され、かつ前記吹寄せカバー（１５）の内部に小型の油煙機（１
９）が取付けられ、前記処理箱（１４）の内部に両対の係合子（２０）が設置され、各一
対の前記係合子（２０）の間に係合溝が設置され、前記濾過ネットプレート（１６）およ
び活性炭濾過網板は両対の係合子（２０）間の係合溝中にそれぞれ係接されていることを
特徴とする請求項１に記載の台所清潔装置
【請求項１０】
前記処理箱（１４）の正面に作業ドア（２１）が開設されていることを特徴とする請求項
９に記載の台所清潔装置。
【考案の詳細な説明】
【技術の分野】
【０００１】
本実用新案は台所清潔デバイス・装置の分野に関するもので、具体的には、台所清潔装
置に関する。
【従来の技術】
【０００２】
台所は、食料の用意や調理作業などに適合な部屋をいう。近代的な台所に、炉具、流し台
、食料貯蔵具などが配されている。ところで、台所で調理作業をするとき、大量の油煙が
発生する。台所油煙は一般的に油煙機によって抽出される。しかしまだ少量の油煙が台所
のあちこちに残っている。時間が経つと、台所の壁に付着して、人力で不定時の掃除を行
う必要がある。
【０００３】
従来の台所清潔装置は、以下の欠点を有する。
・高位置のところは掃除が不便で、はしごを使うと、潜在的危険がある。
・しっかり付着に対しては、手作業で繰り返して拭さなければならなく、掃除は手間がか
なりかかり、効率が低い。また、油臭いには、多くの有害物があり、人体に害を及ぼすが
、その処理が容易でない。
【考案の概要】
【０００４】
本実用新案の目的は、背景の技術に記載のように、高位置のところは掃除が不便で、はし
ごを使うと、潜在的危険があり、またさらに、しっかり付着に対しては、手作業で繰り返
して拭さなければならなく、掃除は手間がかなりかかり、効率が低く、特に油臭いには多
くの有害物があり、人体に害を及ぼすが、油臭いの処理は容易でないという欠点を克服で
きる台所清潔装置を提供することにある。
【０００５】
上記の目のを実現するために、本実用新案は、下記の台所清潔装置を提供する。該台所清
潔装置は、清潔装置の伸縮式レバー構成、配置板、清潔装置の配置ロッド、清潔装置の配
置箱、回転盤、回転盤を回転駆動する駆動構成、清潔作業を実行するスポンジ拭きおよび
台所異臭を処理する異臭処理構成を含み、前記配置板は伸縮式レバー構成の頂部に固定取
付され、前記配置ロッドは角度調節構成を介して配置板の上端の表面に取付けられ、前記
配置箱は配置ロッドの一側に固定取付され、前記駆動構成は配置箱の内部および配置ロッ
ドの内部に取付けられ、前記回転盤の一側と駆動構成の一端とが固定接続され、前記スポ
ンジ拭きは回転盤における駆動構成と反対側に固定取付され、前記異臭処理構成は配置ロ
ッドの上端の表面に取付けられている。
【０００６】
前記伸縮式レバー構成は伸縮取手を含み、前記伸縮取手の頂部の伸縮端と配置板の底部と
が固定接続され、かつ前記伸縮取手の伸縮節部にその内部にネジ接続によって貫通する第
１締合つまみが設置されている。これによって、伸縮式レバー構成により回転盤およびス
ポンジ拭きの高度を調節することができる。
【０００７】
前記角度調節構成は第１接続板、第２接続板および第２締合つまみを含み、前記第１接続
板および第２接続板はいずれも配置板の上端の表面に固定取付され、前記配置ロッドの正
面側はピン軸によって第１接続板に回動可能に枢接されており、前記第２締合つまみの一
端は第２接続板にネジ接続によって貫通しており、かつ前記第２締合つまみは第２接続板
の一端を貫通して配置ロッド２の背面側に接触している。これによって、角度調節構成に
より回転盤とスポンジ拭きの角度を調節することができる。
【０００８】
前記駆動構成は、小型のモータおよび回転軸を含み、前記モータは配置箱の内部の一側に
固定取付され、前記回転軸の一端とモータの出力端とが固定接続され、かつ前記回転軸に
おけるモータと反対側の一端は配置箱の一側および配置ロッドの内部を貫通しており、か
つ前記回転軸は配置ロッドの一端を貫通して配置ロッドにおける配置箱と反対側の一端の
外部に延出しており、前記回転盤の一側と回転軸とが固定接続されている。このように構
成されると、駆動構成によって、スポンジ拭きを回転させるように駆動できる。
【０００９】
前記回転軸は合金材料製としているので、回転軸１２は断裂され損害され難くい。
【００１０】
配置ロッドの両端での前記回転軸が貫通する位置は密閉処理されている。これによって配
置ロッドの内部への埃の侵入を回避することができる。
【００１１】
前記スポンジ拭きは両面海綿テープによって回転盤における回転軸と反対側に貼合し固定
取付されている。これによってスポンジ拭きを容易に交換することができる。
【００１２】
前記スポンジ拭きの直径が回転盤の直径より大きくすることで、スポンジ拭きの拭き作業
範囲を拡大する。
【００１３】
前記異臭処理構成は処理箱、吹寄せカバー、濾過ネットプレートおよび活性炭濾過網板を
含み、前記処理箱はパッドを介して配置ロッドの頂部に固定取付され、それぞれ前記処理
箱の一側に入気口が、その頂部に出気口が貫通的に開設されており、前記吹寄せカバーは
処理箱の一側の入気口に固定取付され、かつ前記吹寄せカバーの内部に小型の油煙機が取
付けられ、前記処理箱の内部に両対の係合子が設置され、各一対の前記係合子の間に係合
溝が設置されており、前記濾過ネットプレートおよび活性炭濾過網板は両対の係合子間の
係合溝中にそれぞれ係接されている。これによって、異臭処理構成によって、汚れの異臭
を処理することができる。
【００１４】
前記処理箱の正面に作業ドアが開設されているので。以降作業際で処理箱内部を清理する
ことができる。
【００１５】
従来の技術と比べて、本実用新案の有益な効果は以下の通りである。
（１）本実用新案では、伸縮式取手構成、配置ロッド、角度調節構成、配置箱、駆動構成
およびスポンジ拭きを設けている。これにより、高位置の汚れの清潔は、伸縮式取手構成
の長度を調節して、それを固定して、台所清潔剤をスポンジ拭きにスプレーして、駆動構
成を起動して、スポンジ拭きを回転駆動するように実行することで、スポンジ拭きを所定
の清理位置に延伸させて清潔作業を行うことができる。はしごを登る必要がなく、危険性
を低減する。
（２）本実用新案では、駆動構成および異臭処理構成を設けている。これにより、しっか
り付着している汚れに対して清潔作業を実施する際に、駆動構成によってスポンジ拭きを
継続的に回転駆動することができるので、汚れに対して継続的に回転摩擦式の清潔を実行
でき、手間が掛からなく、効率が高い。また異臭処理構成によって汚れ箇所の異臭を処理
することで、異臭いによって人に害を及ぼすことを防止することができ、さらに危険性を
低減する。
【図面の簡単な説明】
【００１６】
【図１】本実用新案の全体構成模式図。
【図２】本実用新案の濾過ネットプレートの配置断面模式図。
【図３】本実用新案のモータ配置断面模式図。
【図４】本実用新案の配置ロッドの配置上面図。
【考案を実施するための形態】
【００１７】
図１〜４に示されるように、本実用新案は台所清潔装置を提供する。該台所清潔装置は、
清潔装置の伸縮式レバー構成、配置板１、清潔装置の配置ロッド２、清潔装置の配置箱３
、回転盤４、回転盤４を回転駆動する駆動構成、清潔作業を実行するスポンジ拭き５およ
び台所異臭を処理する異臭処理構成を含み、前記配置板１は伸縮式レバー構成の頂部に固
定取付され、前記配置ロッド２は角度調節構成を介して配置板１の上端の表面に取付けら
れ、前記配置箱３は配置ロッド２の一側に固定取付され、前記駆動構成は配置箱３の内部
および配置ロッド２の内部に取付けられ、前記回転盤４の一側と駆動構成の一端とが固定
接続され、前記スポンジ拭き５は回転盤４における駆動構成と反対側に固定取付され、前
記異臭処理構成は配置ロッド２の上端の表面に取付けられている。
【００１８】
前記伸縮式レバー構成は伸縮取手６を含み、前記伸縮取手６の頂部の伸縮端と配置板１の
底部とが固定接続され、かつ前記伸縮取手６の伸縮節部にその内部にネジ接続によって貫
通する第１締合つまみ７が設置されている。これによって台所の高壁位置の清潔作業前に
、実際によって、第１締合つまみ７を緩ませて、伸縮取手６の長度を調節し、それを固定
することで、回転盤４およびスポンジ拭き５の高度を調節することができる。それで高位
置の汚れを清潔する作業が可能で、はしごを登る必要がなく、危険性を低減する。
【００１９】
前記角度調節構成は第１接続板８、第２接続板９および第２締合つまみ１０を含み、前記
第１接続板８および第２接続板９はいずれも配置板１の上端の表面に固定取付され、前記
配置ロッド２の正面側はピン軸によって第１接続板８に回動可能に枢接されており、前記
第２締合つまみ１０の一端は第２接続板９にネジ接続によって貫通しており、かつ前記第
２締合つまみ１０は第２接続板９の一端を貫通して配置ロッド２の背面側に接触している
。これによって清潔作業前に、実際によって、第２締合つまみ１０を緩ませて、配置ロッ
ド２と配置板１の間の角度を調節して、配置ロッド２を固定することで、回転盤４とスポ
ンジ拭き５の角度を調節することができるので、その後の清潔作業が便利にできる。
【００２０】
前記駆動構成は、小型のモータ１１および回転軸１２を含み、前記モータ１１は配置箱３
の内部の一側に固定取付され、前記回転軸１２の一端とモータ１１の出力端とが固定接続
され、かつ前記回転軸１２におけるモータ１１と反対側の一端は配置箱３の一側および配
置ロッド２の内部を貫通しており、かつ前記回転軸１２は配置ロッド２の一端を貫通して
配置ロッド２における配置箱３と反対側の一端の外部に延出しており、前記回転盤４の一
側と回転軸１２とが固定接続されている。このように構成されると、清潔作業に際して、
モータ１１を起動して、回転軸１２および回転盤４を回転駆動させて、スポンジ拭き５を
連動して回転させることで、しっかり付着している汚れに対して清潔作業を実施するとき
は、駆動構成によってスポンジ拭きを継続的に回転駆動すさせることができるので、汚れ
に対して継続的かつ回転摩擦式の清潔を実行できるので、手間が掛からなく、効率が高い
。
【００２１】
前記回転軸１２は合金材料製としているので、回転軸１２がに硬度を具備させる。
【００２２】
前記配置ロッド２の両端での前記回転軸１２が貫通する位置は密閉処理されている。これ
によって配置ロッド２の内部への不純物の汚れの侵入によって回転軸１２の回転を影響す
ることを回避することができる。
【００２３】
前記スポンジ拭き５は両面海綿テープ１３によって回転盤４における回転軸１２と反対側
に貼合し固定取付されている。これによって以降でスポンジ拭き５を容易に交換すること
ができる。
【００２４】
前記スポンジ拭き５の直径が回転盤４の直径より大きくすることで、スポンジ拭き５の拭
き作業範囲を拡大する。
【００２５】
前記異臭処理構成は処理箱１４、吹寄せカバー１５、濾過ネットプレート１６および活性
炭濾過網板１７を含み、前記処理箱１４はパッド１８を介して配置ロッド２の頂部に固定
取付され、それぞれ前記処理箱１４の一側に入気口が、その頂部に出気口が貫通的に開設
されており、前記吹寄せカバー１５は処理箱１４の一側の入気口に固定取付され、かつ前
記吹寄せカバー１５の内部に小型の油煙機１９が取付けられ、前記処理箱１４の内部に両
対の係合子２０が設置され、各一対の前記係合子２０の間に係合溝が設置されており、前
記濾過ネットプレート１６および活性炭濾過網板は両対の係合子２０間の係合溝中にそれ
ぞれ係接されている。これによって、清潔作業に際して、油煙機１９を起動して、汚れ位
置の異臭を処理箱１４中へ抽出することができるとともに、濾過ネットプレート１６によ
って塵埃、不純物などを遮蔽することもできる。また活性炭濾過網板１７によって異臭中
の有害物を吸付濾過し、排出することができるので、汚れの異臭によって人体に害を及ぼ
すことを回避することが可能で、危険性を低減する。
【００２６】
前記処理箱１４の正面に作業ドア２１が開設されている。作業際で作業ドア２１を開いて
、処理箱１４中の雑品や濾過ネットプレート１６を清理でき、また活性炭濾過網板１７を
容易に交換できる。
【符号の説明】
【００２７】
１  配置板
２  配置ロッド
３  配置箱
４  回転盤
５  スポンジ拭き
６  伸縮取手
７  第１締合つまみ
８  第１接続板
９  第２接続板
１０  第２締合つまみ
１１  モータ
１２  回転軸
１３  両面海綿テープ
１４  処理箱
１５  吹寄せカバー
１６  濾過ネットプレート
１７  活性炭濾過網板
１８  パッド
１９  油煙機
２０  係合子
２１  作業ドア
【図１】
0003233010.tif 000003
【図２】
0003233010.tif 000004
【図３】
0003233010.tif 000005
【図４】
0003233010.tif 000006